(57)【特許請求の範囲】
【請求項１】
その縁によって、部屋の壁や天井に固定されたフレームに引っ掛けられた撓み易いシート（１）によって構成された延伸ふかし壁用固定システムであって、
前記フレームは、少なくとも２つのフランジ（５，７）を具備する接合されたプロファイルによって形作られた水平材（３，３’）を具備し、平行な２つのフランジの一方の部屋の外側に位置するフランジ（５）は外側フランジと称され、一方の側において、壁（４）および天井に固定するための手段を具備し、他方の側において、部屋の方向における水平材（３’）の内側に対して垂直に延伸した肩部（８）を有し、２つのフランジの他方の部屋の内側に位置するフランジ（７）は内側フランジと称され、この内側フランジはウェブ（６’）の一方の端部に接合され、該ウェブを介してウェブの他方の端部が外側フランジ（５）に接合されており、そして外側フランジ（５）の肩部（８）を少し越えて他端まで延伸してシート（１）の縁部支持体を形成し、このシートは、水平材（３’）の２つのフランジ間に「湾曲した形状の部材」として挿入された一般的なもり状体（１１）形状を有するフックに取り付けられたシートの縁のために内側フランジ（７）に対して実質的に垂直に広がっており、このフックは、それによってシート（１）に連結されている第１部分（１１ａ）と、該第１部分の上に折り畳まれている第２部分（１１ｂ）とで形成されており、該第２部分の端部玉縁は外側フランジ（５）の肩部（８）に支持され、
もり状体（１１）の前記端部玉縁は分離リップ（１２）を具備し、この分離リップは、水平材（３’）にシート（１）を引っ掛ける肩部（８）の上の前記玉縁の支持領域から垂直に出て前記肩部（８）の下に延伸して、水平材（３’）の内側フランジ（７）と前記肩部との間の隙間に延伸し、シート（１）をそのフレームから容易に外すために、使用道具を水平材（３’）の中に侵入させることなく、前記リップ（１２）が使用道具用レバーとして作用して、もり状体（１１）の端部が肩部（８）から押し出され得る
ことを特徴とする。
【請求項２】
もり状体（１１）の端部玉縁は、該玉縁の外側に向かって切り欠かれた周辺切り欠き部を備え、その断面は内側に向いた四分円の一般的形状を成しており、その半径方向面（１２ａ）は水平材（３’）の肩部（８）と協働し、軸方向面（１２ｂ）は肩部（８）に対して延伸しており、その厚さを僅かに越えて分離リップ（１２）を構成することを特徴とする請求項１記載の固定システム。
【請求項３】
前記肩部（８）は、水平材（３’）の外側フランジ（５）の厚さ範囲内に形成した切欠き（１３）によって置換されて、もり状体（１１）の玉縁端部の支持領域として作用することを特徴とする請求項１または２に記載の固定システム。
【請求項４】
前記切欠き（１３）は直角三角形の一般的形状を成しており、外側フランジ（５）の平面に垂直である直角の短辺（１３ａ）はもり状体（１１）の玉縁端部の支持体として作用し、シート（１）の組み立て中に、斜辺（１３ｂ）はもり状体（１１）の玉縁の係合を促進させることを特徴とする請求項３に記載の固定システム。
【発明の詳細な説明】
【技術分野】
【０００１】
本発明は、仮天井と仮壁のような仮壁の分野に関し、特に、建物の部屋の壁や天井に固定された支持体に、その縁に沿って引っ掛けられる広げられた撓み易いシートによって構成された仮壁に関する。
【背景技術】
【０００２】
フェルナンドシェラーの名前のフランス特許第２６３０４７６号は、特に、広がった仮天井を開示している。この仮天井は、部屋の壁や天井に固定するフレームと、このフレームの内側に広がった撓み易いシートとを具備している。このフレームは接合した形態を具備する代わりに、外側の水平材によって形成されており、前記撓み易いシートはプラスチック材か織物のシートを具備している。この撓み易いシートは、水平材上において、もり状体を形作ってシートを伴った縁取り固体の引っ掛けにより広がっている。この縁取りは、フックの形をした横断面を有しており、水平材の外側フランジの全周に亘って延伸している肩部にしがみついている。
これらの既知の仮壁は、撓み易いシートをフレームにぴんと張るという原理に頼っている。それが仮天井か或いは仮壁かによって、水平か垂直かの完全な平面状にぴんと張るのである。
【発明の概要】
【発明が解決しようとする課題】
【０００３】
それらの水平材に一旦装着されると、これらの仮天井や仮壁は、広がった壁の周囲縁と、引っ掛けの水平材を支持している壁との間に、相当な隙間、それ故に目に見える隙間を必然的に度々呈する。この機能的隙間は、例えば図１に示すように、壁と広がり面との間にシートの縁フックを水平材の内側に挿入して、もり状体の端部じゅず玉が、壁に最も近い水平材の外側フランジにあるこの目的のために設けた肩部に取り付くように充分な隙間を設ける必要性から必然的に生じる。
シートのフックの内側にへら状体を挿入することで組み立てたり、特に分解したりを可能にさせるこの残留隙間は、今は最小値が４ｍｍから５ｍｍの範囲のオーダーである。
【０００４】
多くの場合において、時として非常に非審美的な印象を与える中空接合箇所をそれが具備しているため、シートと壁との間のこの残留隙間は視覚的に不快である。これは、壁と天井をより良く見せるために如何なる中空接合箇所をも含んではならない部屋において織地が広げられる特別な場合である。同様に、多くの設備において、織地と壁との間の中空接合箇所は、油汚れを生じさせたり、ある曝気設備の均衡を失わせるような意図しない空気通路を避けるために、できるだけ小さいことが重要である。
従って、本発明の目的は、広がった壁用の固定システムを提供することによってそのような欠点を除去することである。広がった壁の例として、非常に僅かな中空接合箇所だけを残す２つの壁の間の天井があり、当該天井を組み立てた後は殆ど目に見えない３ｍｍのオーダーの非常に僅かな中空接合箇所である。
【課題を解決するための手段】
【０００５】
本発明によれば、仮の広がった壁用固定システムがそれ故に提供され、部屋の壁や天井に固定されたフレームへその縁を引っ掛けた撓み易いシートによって構成され、前記フレームは、少なくとも２つの有利にも平行なフランジを具備する接合した形態によって形成された水平材を具備し、一方のフランジは、外側として知られていて、一方の側に壁や天井への固定手段を具備し、他方の側に水平材の内側に対して垂直に、部屋の方向に延伸している肩部を有し、他方のフランジは、内側として知られていて、その一方の端部に位置したウェブによって第１のものに連結されており、そして他方の端部が延伸して第１のフランジの肩部を僅かに越えており、水平材の２つのフランジ間に「湾曲した取り付け具」として挿入され、シートに連結された第１部分と、該第１部分に折り畳まれていて、その端部じゅず玉が外側フランジの肩部に支持される第２部分とで形成された一般的なもり状体の形状をしたフックを取り付けたその縁により、実質的に内側フランジに垂直に広がったシートの周囲縁の支持体を形成しており、もり状体の前記端部じゅず玉が分離リップを具備し、この分離リップは水平材にシートを引っ掛ける肩部の上の前記じゅず玉の支持領域から垂直に出て前記肩部の下に延伸し、水平材の内側フランジと前記肩部との間の隙間に延伸し、シートをそのフレームから容易に外すために、使用道具を水平材の中に侵入させることなく、前記リップが使用道具に対してレバーとして作用して、もり状体の端部じゅず玉を肩部から押し出すことに特徴がある。
【０００６】
本発明によるある種のもり状体を使用するにつき、仮の天井や仮の壁を分解するにおいて、既知のシステム、即ち、へら状体の薄平部を滑らせるのに必要な隙間が、へら状体の厚さによって必然的に増大させられ、水平材のサイズを小さくすることは不可能である、というシステムに関する現在の手続きにおいて必須であるような、フックの内側に分解へら状体を差し込んで水平材の肩部からそれを外すということは、もはや必要無いということが理解される。反対に、本発明について、織地を外すことは、水平材の下側に突出している取り外しリップへの単純な支持によって成される。これは、もり状体を肩部から外して、それ故にシートを外すことを容易にさせる。
【０００７】
他の利点と特徴は、添付図面を参照して、本発明に係る固定システムの種々の実施形態例の以下の説明記載から浮かび上がってくるであろう。
【図面の簡単な説明】
【０００８】
【図１】図１は従来技術に係る部屋の壁の上部に固定された水平材を具備して広がったシートを具備する仮天井の垂直断面部分図である。
【図２】図２は、図１に図示されたものよりも薄い水平材の上であって、本発明に係る固定システムによってそれに引っ掛けた広がったシートを具備する仮天井の、図１と同じ視認角度の同じスケールによる垂直断面部分図である。
【図３】図３は図２の通りのシートの固定システムを具備するもり状体の拡大部分図である。
【図４】図４は、肩部が外側フランジに形成された切込部によって置き換わっている変形形態の水平材と協働する図３のもり状体の拡大部分図である。
【発明を実施するための形態】
【０００９】
図１は従来技術通りの仮天井の端部を図示し、これは部屋の天井２の下に水平に広がる撓み易いシート１を具備する。このシート１はその縁に沿って、水平な水平材３を具備する支持体に固定されており、この水平材は部屋の壁４の上部に、図示しないが、ねじのような適宜な手段で順に固定されている。この水平材３は、壁４に平行に延伸して、該壁に非常に近接している外側垂直フランジ５を具備する。上側水平ウェブ６がこの外側垂直フランジ５の高さ方向の中央部辺りに幾分かの短い長さだけ部屋の内部に向かって突出しており、例えば７ｍｍ程度突出している。このウェブ６はその端部に内側垂直フランジ７が接続されて、壁４の近くの外側フランジ５よりも僅かに下方まで延伸している。即ち、内側フランジ７が前記水平材の外側フランジ５よりも僅かに高い。この外側フランジ５はその下端に、部屋の内部方向に水平に突出した肩部８を有しており、突出量は、例えば、３ｍｍという短い距離に亘る。この矩形状の肩部８は、好ましくはその端部が丸まっている。
【００１０】
外側垂直フランジ５の下方部と、上側水平ウェブ６と、垂直フランジ７とが下方に開口した窪み９を規定し、ここで、溶接された固定もり状体１０が広がった撓み易いシート１の周辺で係合できる。
【００１１】
このもり状体１０は、壁４の方向に延伸して下方に開口しているフック形状の横断面を有している。これは、内側脚１０ａを具備し、これはフランジとも言え、これによってシート１に接続されている。また、丸まった端部においてじゅず玉（bead）形状をした外側脚１０ｂを具備し、これは下方に向かって曲がっている。シート１がいっぱいに広がっている時、もり状体１０は、下方に延伸しているその外側脚１０ｂの下端によって肩部８の上に支持されている。
【００１２】
このもり状体１０は、そのフック位置をずっと簡単に創るそのじゅず玉１０ｂによって下方の水平肩部８の上に単純に支持されている。実際、広がった織地を組み立てる際に、もり状体１０を、このもり状体１０に係合するへら状体のような適宜な道具を用いて窪み９の中に押し入れることで、十分に、それを肩部８と垂直フランジ７との間を通して肩部８の上にそれを持ってこれる。
【００１３】
もり状体１０を離した時、肩部８に支持され、広げられたシート１が適所に保持されることを保証する。何故ならば、もり状体が作られている材料と、シート１によって内側脚１０ａに作用する引っ張りとによって引き起こされるもり状体の２つの脚間のばね効果による。このばね効果は、２つの脚を共に寄せることを有する。適所にあるもり状体の２つの脚間に形成された角度は１５度より小さい。
【００１４】
図２は本発明に係る仮天井の端部を図示しており、最初の例のように、部屋の天井２の下に水平に広げられた撓み易いシート１を具備している。このシート１は、水平材３’によって構成された支持体に、その縁に沿って固定されている。この水平材３’は、ウェブ６’が水平材３のウェブ６よりも短いことにおいて、従来技術の水平材３（図１）とは異なっている。
【００１５】
こうして、シート１の縁と、水平材３’を支持している壁４との間の残留隙間ｅ’は、図１の隙間ｅに比べて同じ比率で小さくなっている。縮小したウェブ６’を有する水平材３’（これは以下においてミニ水平材と称する）を使用する結果としての、隙間ｅの縮小は、既に前文において述べたように、特に有利である。
【００１６】
ミニ水平材３’にシート１を組み込む限りにおいて、既に従来技術において使用されている伝統的なへら状体を用いて水平材３’の隙間９の中にもり状体１１を押し込むことによって、該もり状体の端部じゅず玉をミニ水平材３’のフランジ５の肩部８の上にスナップ式に固定することは比較的易しい。一方、従来のようにもり状体１１を押し込むことによってそれが肩部８から外れることでシート１を外すことは難しいか不可能でさえある。実際、もり状体の２つのフランジ１１ａと１１ｂの間のへら状体用の通路は、ミニ水平材３’のフランジ７と肩部８との間の間隔ということである。こうした状況において、もり状体１１を肩部８から外すことの困難性、即ち、このタイプの縮小した水平材３’の場合のシート１の組付けを外す困難性が理解できる。
【００１７】
こういう理由で、織地１に取り付けられてミニ水平材３’に装着されるもり状体１１が、フランジ１１ｂの自由端に分離リップ１２を具備している。このリップは、水平材３’にシート１を係止させる肩部８に支持されている端部じゅず球の所から垂直に突き出ている。このリップ１２は、肩部８の上から水平材３’の内側フランジ７と前記肩部との間の隙間の中に下方に向かって延伸できるようなものであり、使用道具用のレバーとして作用できる。使用道具は、例えば、従来からのへら状体であり、もり状体１１の端部じゅず玉が肩部８から外れるように押されるためのものであり、そのフレームからシート１の分解を容易にするために、それ無しでは前記へら状体をミニ水平材３’の中に深く押入れなければならない。
【００１８】
図３に拡大図を示す特定の変形形態によれば、もり状体１１の端部じゅず玉から突出しているリップ１２は、該もり状体１１の外部に向かって周辺部を除去することによって得られる。この断面は再入四分円弧（re-entrant quadrant）の一般形状を有しており、この半径方向面１２ａはミニ水平材３’の肩部８と協働し、軸方向面１２ｂは前記肩部８に対して延伸しており、その厚さを僅かに越えて分離リップ１２を構成する。
【００１９】
従って、ミニ水平材３’に係止されたシート１が組付けを外すべき時に、従来からの分解へら状体（図示せず）が例えば用いられ、しかし、それはミニ水平材３’の隙間９の中のもり状体１１のフランジ１１ａと１１ｂの間には挿入されない。へら状体の薄平部は、シート１上のもり状体１１の連結フランジ１１ａに対抗して、リップ１２をシート１の方（図３の矢印ｈ）に押し返し、端部の半径方向面１２ａがミニ水平材３’の肩部８に載置しているもり状体から外れるまで押し返す。これでもり状体１１を下方向（図３の矢印ｖ）に引き抜くことができ、これでシート１がミニ水平材３’から外れる。
【００２０】
図４に示す最後の特に有利な変形形態によれば、もり状体１１のじゅず玉端部において支持体として作用する先の変形形態の外側フランジ５に設けられた肩部８が、ミニ水平材３’の外側フランジ５の肉厚範囲内に形成された切欠き１３によって置換されて、もり状体１１の前記端部じゅず玉に対する支持領域として作用する。
【００２１】
好ましい形態によれば、切欠き１３は直角三角形の一般的形状を有し、直角の短辺１３ａはミニ水平材３’の外側フランジ５の平面に対して垂直であり、もり状体１１のじゅず玉端部における支持体として作用し、織地１の組み立て中に、斜辺１３ｂはもり状体１１のじゅず玉の係合を容易にさせる。
【００２２】
もり状体１１は、例えば該もり状体１１の端部の半径方向面１２ａを切欠き１３の支持面１３ａと一致するよう案内することで、ミニ水平材３’に以前とまったく同じようにして組み込まれる。分離タブ１２は今やミニ水平材３’の外側フランジ５の内面で支持されている。従って、前の変形形態で説明したのとまったく同じように組付け取り外しが可能となる。この最後の変形形態の重要性は、ミニ水平材３’のウェブ６を、肩部８の突出量に等しい大きさだけ更に短くさせ、従って、壁４と広がったシート１との間に残っていて美観を損なう隙間を更に小さくすることが可能なことにおいて明らかである。
【００２３】
分離リップ１２を形成するための、もり状体１１の端部じゅず玉の四分円弧の除去は、本発明の非制限例を介してのみ与えられ、端部じゅず玉の他の形態の除去は、本発明の範囲から離れることなく行え得る。
【図１】
0005599321.tif 000002
【図２】
0005599321.tif 000003
【図３】
0005599321.tif 000004
【図４】
0005599321.tif 000005